(57)【要約】【課題】  バケツや缶等の容器類の利便性を損なうことなく、またその構造を複雑させることなく、当該容器類の転倒を有効に防止することができるようにする。【解決手段】  上部が開口した有底筒状容器Ｂの転倒を防止する器具１であって、発泡スチロールからなる一定厚さの本体２の略中央に容器収容用の孔３または凹部が形成され、これら孔３または凹部は容器Ｂの横倒しを防ぎ得るように容器Ｂの外形より若干大きい外形Ｌと深さＤを有し、且つ本体２における前記孔３または前記凹部の周囲の幅Ｗも容器Ｂの横倒しを防ぎ得る幅となされており、また必要に応じて本体２の底面に、すべり防止用シート４が接着されるか、キャスターが取り付けられている。【選択図】  図３
0003169585.tif 000002
【実用新案登録請求の範囲】
【請求項１】
上部が開口した有底筒状容器の転倒を防止する器具であって、発泡スチロールからなる一定厚さの本体の略中央に容器収容用の孔または凹部が形成され、これら孔または凹部は容器の横倒しを防ぎ得るように容器の外形より若干大きい外形と深さを有し、且つ本体における前記孔または前記凹部の周囲の幅も容器の横倒しを防ぎ得る幅となされている、容器類の転倒防止具。
【請求項２】
本体の外形が円形である、請求項１記載の容器類の転倒防止具。
【請求項３】
本体の底面にすべり防止用シートが接着された、請求項１または請求項２記載の容器類の転倒防止具。
【請求項４】
本体の底面にキャスターが取り付けられた、請求項１または請求項２記載の容器類の転倒防止具。
【考案の詳細な説明】
【技術分野】
【０００１】
本考案は、バケツや缶或いはコップ等といった容器の転倒を防止する容器類の転倒防止具に関する。
【背景技術】
【０００２】
バケツや缶等の容器類は、全体が有底円筒状か有底角筒状の本体と、該本体の上部開口縁に渡し止められた取っ手とで構成されており、容器類の内部には液体や粉体等の内容物が収容される。
【０００３】
また、容器の利便性を高めるために、前記取っ手部分にホース等の別部材を取り付けるための取付部を設けたり、本体の上部開口縁に蓋が装着されるものも知られている。
【先行技術文献】
【特許文献】
【０００４】
【特許文献１】実開平６−３２４７号公報
【特許文献２】実開平７−１２０４４号公報
【考案の概要】
【考案が解決しようとする課題】
【０００５】
しかしながら、前述したように、本体に別部材を取り付けたり、本体の上部開口縁に蓋を装着した容器の場合、本体の安定性が損なわれて、転倒し易いという問題がある。
【０００６】
また、前述したような別部材や蓋を取り付けない容器においても、人が誤って足で蹴ったり、他のものが衝突することによって当該容器が転倒し、その結果、内容物が床に流れ出ることがあり、特に、建築現場や工場等では、限られた狭いスペースに種々のものが置かれ、作業者が容器の近辺を行き来することが多いことから、前述した容器の転倒事故が発生し易い。
【０００７】
容器類の転倒を防止するためには、その本体下部の安定性を増すことを目的とした種々の手段が考えられるが、構造が複雑であったり、容器類の使用の利便性が損なわれる場合が多いという問題がある。
【０００８】
本考案の目的は、バケツや缶或いはコップ等の容器類の利便性を損なうことなく、またその構造を複雑させることなく、当該容器類の転倒を有効に防止することができる転倒防止具を提供することにある。
【課題を解決するための手段】
【０００９】
請求項１記載の本考案は、上部が開口した有底筒状容器の転倒を防止する器具であって、発泡スチロールからなる一定厚さの本体の略中央に容器収容用の孔または凹部が形成され、これら孔または凹部は容器の横倒しを防ぎ得るように容器の外形より若干大きい外形と深さを有し、且つ本体における前記孔または前記凹部の周囲の幅も容器の横倒しを防ぎ得る幅となされている容器類の転倒防止具である。
【００１０】
請求項２記載の本考案は、前記請求項１記載の容器類の転倒防止具について、本体の外形が円形であることを特徴とするものである。
【００１１】
請求項３記載の本考案は、前記請求項１または請求項２記載の容器類の転倒防止具について、本体の底面にすべり防止用シートが接着されたことを特徴とするものである。
【００１２】
請求項４記載の本考案は、前記請求項１または請求項２記載の容器類の転倒防止具について、本体の底面にキャスターが取り付けられたことを特徴とするものである。
【考案の効果】
【００１３】
本考案の転倒防止具によれば、その本体の略中央に形成された容器収容用の孔または凹部にバケツ等の容器を入れるだけで、該容器の転倒を確実に防止することができ、また前記バケツ等の容器を持ち上げるだけで該容器を収容用孔等から取り出すことができるため、容器自体の利便性を損なうこともない。
【００１４】
更に、本考案の転倒防止具は、簡易な構造であるため、容易且つ安価に製造し得るという利点もある。
【図面の簡単な説明】
【００１５】
【図１】本考案に係る実施形態の転倒防止具を示す斜視図である。
【図２】同実施形態における転倒防止具にバケツを入れた状態を示す斜視図である。
【図３】図２の状態における転倒防止具の断面図である。
【図４】他の実施形態を示す断面図である。
【図５】更に他の実施形態を示す斜視図である。
【考案を実施するための形態】
【００１６】
次に、本考案をバケツの転倒防止に適用した場合の実施形態について図面にしたがって説明するが、本考案は係る実施形態に限定されるものではない。
【００１７】
図１に示すように、転倒防止具１は、発泡スチロール製の円筒状本体２と、該本体２の中央に形成されたバケツ収容用孔３と、本体の底面に接着されたすべり防止用ゴム製シート４とを備えている。
【００１８】
図１〜図３に示すように、バケツ収容用孔３は、有底円筒状のバケツＢが収容されるように平面から見て円形であって、バケツＢの横倒しを防ぎ得るように、バケツＢの最大外径よりも若干大きい直径Ｌと深さＤを有し、また上縁にはバケツＢが収容し易いように面取り３ａが形成されている。
【００１９】
また、本体２におけるバケツ収容用孔３の周囲の幅ＷもバケツＢの横倒しを防ぎ得る幅となされている。
【００２０】
すべり防止用のゴム製シート４は、中央に前記バケツ収容用孔３に対応する円形孔４ａが形成されたリング状となされている。
【００２１】
本実施形態に係る転倒防止具１によれば、中央のバケツ収容用孔３にバケツＢを入れるだけで、該バケツＢが安定的に保持され、人が誤って蹴った場合でもバケツＢが転倒することがない。また、この際、本体２の底面に接着されたすべり防止用ゴム製シート４によって、当該転倒防止具１の移動が阻止され、その結果バケツＢ自体が移動することもない。
【００２２】
図４に示す転倒防止具２１は、発泡スチロール製の有底円筒状本体２２と、該本体２２の中央に形成されたバケツ収容用凹部２３と、本体２２の底面に取り付けられた複数のキャスター２４とを備えている。
本実施形態に係る転倒防止具２１において、前記バケツ収容用凹部２３は前記実施形態におけるバケツ収容用孔３と同様、バケツＢの横倒しを防ぎ得るように、バケツＢの最大外径よりも若干大きい直径と深さを有し、また本体２２におけるバケツ収容用凹部２３の周囲の幅もバケツＢの横倒しを防ぎ得る幅となされている。
【００２３】
図５に示す転倒防止具３１は、図１〜図３に示した前記実施形態における本体２の外形を変更したものであり、本体３２の外形が方形となされている。その他の点は前記実施形態と同様であるため、同じ符号を図中に付すことによって、説明を省略する。
【産業上の利用可能性】
【００２４】
本考案の転倒防止具によれば、液体や粉体等が入ったバケツ等の容器の転倒が確実に防止されるため、幅広い利用が期待できる。
【符号の説明】
【００２５】
１  転倒防止具
２  本体
３  バケツ収容用孔
４  すべり防止用ゴム製シート
【図１】
0003169585.tif 000003
【図２】
0003169585.tif 000004
【図３】
0003169585.tif 000005
【図４】
0003169585.tif 000006
【図５】
0003169585.tif 000007